(57)【要約】【課題】早朝時あるいは夕暮れ時でも室内の明るさを一定以上に保つことが可能な採光ユニットを提供する。【解決手段】採光ユニット１は、採光用突出体１０を設置した際に、前記採光用突出体の東方位及び西方位となる側面１２に備える側面採光部１３と、側面ひさし体１４と、前記採光用突出体の天面に配置され台座に対して略４５度の傾きをつけて傾斜設置する矩形形状の天面採光部１１と、前記天面採光部の傾きと略同じ傾きの先端部３１を有する円筒導光体３２及び前記円筒導光体を斜めに切断した際のだ円形切断面のだ円の内周長と同一の内周長を有するフランジ付き円筒導光体３３等と、を備える。【選択図】図３
2016027556.tif 000002
【特許請求の範囲】
【請求項１】
建物外部に突出して設置をする採光用突出体から取り込んだ光を建物内部の任意空間まで導き照射する採光ユニットであって、
採光用突出体を設置した際に、前記採光用突出体の東方位及び西方位となる側面に側面採光部を備える採光ユニット。
【請求項２】
前記側面採光部の一方面に低反射加工を施した請求項１に記載の採光ユニット。
【請求項３】
前記側面採光部の他方面に光反射加工を施した請求項１又は請求項２に記載の採光ユニット。
【請求項４】
前記採光用突出体の天面に配置する天面採光部を台座に対して略４５度の傾きをつけて傾斜設置した請求項１から請求項３いずれかに記載の採光ユニット。
【請求項５】
前記側面採光部の上方に側面ひさし体（１４）を備える請求項１又は請求項４に記載の採光ユニット。
【請求項６】
前記側面採光部を傾斜させて設けた請求項５に記載の採光ユニット。
【請求項７】
前記側面採光部の形態について、所定の五角形でかつ南北方向に延びる長辺下端部（１３１）のうち中心から北方向に延びる部分の長さ（Ｗ１）が５０ミリメートルから８０ミリメートルである請求項５に記載の採光ユニット。
【請求項８】
円筒導光体を斜めに切断した際のだ円形切断面のだ円の内周長と同一の内周長を有するフランジ付き円筒導光体を包含する導光機構を備える請求項１から請求項７いずれかに記載の採光ユニット。
【発明の詳細な説明】
【技術分野】
【０００１】
本願発明は、採光用突出体の複数箇所から太陽光を取り込む採光ユニットに関するものである。
【背景技術】
【０００２】
建物外部から太陽光を取得し建物内部の必要空間に導き照射する様々な採光装置又は採光設備が存在する（例えば、特許文献１）。
【０００３】
また、採光設備の中には、採光面が水平面に対して南側に傾くように形成されている採光設備も存在はする（例えば、特許文献２）。
【先行技術文献】
【特許文献】
【０００４】
【特許文献１】特許第５３８９２８５号公報
【特許文献２】国際公開第２００９／１１０２８３号
【発明の概要】
【発明が解決しようとする課題】
【０００５】
上述した特許文献１の採光装置は、早朝時の東方位、お昼時の南方位、夕暮れ時（夕方）の西方位といった太陽の位置に対応する反射体をあらかじめ配設しておくことによって、早朝時から夕暮れ時まで室内の明るさを一定以上に保つ採光装置であるが、第二反射体が上方部に突出することから強風の時又は強風の地域に設置する場合には風の影響に配慮する必要がある。また、反射体を３箇所に配設する必要があることから相当の製造コストも必要となる。
【０００６】
そこで、本願発明では、早朝時あるいは夕暮れ時でも室内の明るさを一定以上に保つことが可能であることはもとより、風の影響や製造コストにも配慮した採光ユニットを提供することを課題とする。
【課題を解決するための手段】
【０００７】
本願発明の請求項１に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備える採光ユニットを提供する。
【０００８】
また、本願発明の請求項２に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の一方面に低反射加工を施した採光ユニットを提供する。
【０００９】
また、本願発明の請求項３に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の他方面に光反射加工を施した採光ユニットを提供する。
【００１０】
また、本願発明の請求項３に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の一方面に低反射加工を施し、かつ、前記側面採光部の他方面に光反射加工を施した採光ユニットを提供する。
【００１１】
また、本願発明の請求項４に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に備える側面採光部と、前記採光用突出体の天面に配置され一定の傾き（台座に対して略４５度）をつけて傾斜設置する天面採光部とを備え、前記側面採光部の一方面に低反射加工を施し、かつ、前記側面採光部の他方面に光反射加工を施した採光ユニットを提供する。
【００１２】
また、本願発明の採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に備える側面採光部と、前記採光用突出体の天面に配置され一定の傾き（台座に対して略４５度）をつけて傾斜設置する矩形形状の天面採光部とを備え、前記側面採光部の一方面に低反射加工を施し、かつ、前記側面採光部の他方面に光反射加工を施した採光ユニットを提供する。
【００１３】
また、本願発明の採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に備える側面採光部と、前記採光用突出体の天面に配置され一定の傾き（台座に対して略４５度）をつけて傾斜設置する矩形形状の天面採光部と、前記傾斜設置した天面採光部の傾きと略同じ傾きの先端部を有する導光機構とを備え、前記側面採光部の一方面に低反射加工を施し、かつ、前記側面採光部の他方面に光反射加工を施した採光ユニットを提供する。
【００１４】
また、本願発明の請求項８に係る採光ユニットは、上述の課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に備える側面採光部と、前記採光用突出体の天面に配置され一定の傾き（台座に対して略４５度）をつけて傾斜設置する矩形形状の天面採光部と、前記傾斜設置した天面採光部の傾きと略同じ傾きの先端部を有し、円筒導光体を斜めに切断した際のだ円形切断面のだ円の内周長と同一の内周長を有するフランジ付き円筒導光体を包含する導光機構とを備え、前記側面採光部の一方面に低反射加工を施し、かつ、前記側面採光部の他方面に光反射加工を施した採光ユニットを提供する。
【００１５】
また、本願発明の請求項５に係る採光ユニットは、上記課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の上方に所定の側面ひさし体を備える採光ユニットを提供する。
【００１６】
また、本願発明の請求項６に係る採光ユニットは、上記課題を解決するために、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の上方に所定の側面ひさし体を備えるとともに、前記側面採光部を傾斜させて設けた採光ユニットを提供する。
【００１７】
また、本願発明の請求項７に係る採光ユニットは、上記課題を解決するために、前記側面採光部の形態について、建物外部に突出して設置をする採光用突出体から取り込んだ光を建物内部の任意空間まで導き照射する採光ユニットであって、採光用突出体を設置した際に、前記採光用突出体の東方位及び西方位となる側面に側面採光部を備え、前記側面採光部の上方に所定の側面ひさし体を備えるとともに、所定の五角形でかつ南北方向に延びる長辺下端部のうち中心から北方向に延びる部分の長さが５０ミリメートルから８０ミリメートルである採光ユニットを提供する。
【発明の効果】
【００１８】
本願発明の採光ユニットは、採光用突出体を設置した際に、前記採光用突出体の東方位及び西方位となる側面に側面採光部を備えるため、早朝時あるいは夕暮れ時であっても太陽光を取り込むことが可能となり、室内の明るさを一定以上に保つことができる。また、前記採光用突出体以外の反射体は配設しないため、風の影響が少なく、製造コストも抑えられる。
【００１９】
また、本願発明の請求項２に係る採光ユニットは、側面採光部の一方面（外表面又は内裏面）に低反射加工を施している（低反射コーティングの塗布など）ため、建物外部への反射が抑制され、より多くの太陽光を取り込むことが可能となり、室内の明るさを一定以上に保つことができる。
【００２０】
また、本願発明の請求項３に係る採光ユニットは、側面採光部の他方面（内裏面又は外表面）に光反射加工を施している（光反射コーティングの塗布など）ため、建物外部への透過が防止され、より多くの太陽光を取り込むことが可能となり、室内の明るさを一定以上に保つことができる。
【００２１】
また、本願発明の請求項３に係る採光ユニットは、側面採光部の一方面（外表面又は内裏面）に低反射加工を施し、かつ、前記側面採光部の他方面（内裏面又は外表面）に光反射加工を施しているため、建物外部への反射が抑制され、かつ、建物外部への透過が防止され、より多くの太陽光を取り込むことが可能となり、室内の明るさを一定以上に保つことができる。また、前記採光用突出体以外の反射体は配設しないため、風の影響が少なく、製造コストも抑えられる。
【００２２】
また、本願発明の採光ユニットは、天面採光部を傾斜設置したため、日中の太陽光をより多く取り込むことが可能となり、室内の明るさを一定以上に保つことができる。また、前記採光用突出体以外の反射体は配設しないため、風の影響が少なく、製造コストも抑えられる。
【００２３】
また、本願発明の請求項４に係る採光ユニットは、天面採光部を台座に対して略４５度の傾きをつけて傾斜設置したため、日中の太陽光をより多く取り込むことが可能となり、室内の明るさを一定以上に保つことができる。また、前記採光用突出体以外の反射体は配設しないため、風の影響が少なく、製造コストも抑えられる。
【００２４】
また、本願発明の採光ユニットは、天面採光部の形状を矩形形状としたため、前記天面採光部の加工コストを大幅に抑えることが可能で、より製造コストを抑えられる。
【００２５】
また、本願発明の採光ユニットは、導光機構の先端部が前記天面採光部の傾きと略同じであるため、日中の太陽光をより多く取り込むことが可能となり、室内の明るさを一定以上に保つことができる。また、前記採光用突出体以外の反射体は配設しないため、風の影響が少なく、製造コストも抑えられる。
【００２６】
また、本願発明の請求項８に係る採光ユニットは、所定のフランジ付き円筒導光体を包含する導光機構を備えるため、いかなる方向に接続をしたとしても光の漏れを防止できる。したがって、導光機構内での光の減衰を抑制するため、室内の明るさを一定以上に保つことができる。さらに、前記フランジ付き円筒導光体により円筒（円形）フランジ同士の接続になるため、３６０度いかなる方向に対してでも自由に接続をすることができるようになり、導光機構の施工が極めて容易となる。
【００２７】
また、本願発明の請求項５に係る採光ユニットは、側面採光部の上方に側面ひさし体を備えるため、方位９０度から１１５度又は方位２４５度から２７０度で、かつ、太陽高度１５度未満（特に０度付近の場合が顕著）の条件下での太陽光取得量が増量する及び伝送効率が上昇する。
【００２８】
また、本願発明の請求項６に係る採光ユニットは、前記側面採光部を傾斜させて設けたため、方位９０度から１１５度又は方位２４５度から２７０度で、かつ、太陽高度１５度未満の条件下で、前記側面採光部の屈折によって反対側の側面採光部を透過し外部に逃げてしまう太陽光を減少させることができる。
【００２９】
また、本願発明の請求項７に係る採光ユニットは、所定の五角形でかつ南北方向に延びる長辺下端部のうち中心から北方向に延びる部分の長さが５０ミリメートルから８０ミリメートルであるため、方位９０度から１１５度又は方位２４５度から２７０度で、かつ、太陽高度１５度未満の条件下では、反対側の側面採光部を透過し外部に逃げてしまう太陽光を減少させつつも、南中に太陽が存在する条件下では、側面採光部からも太陽光を取得することができる。
【図面の簡単な説明】
【００３０】
【図１】図１は実施例１の採光ユニットの構成を示す説明図である。
【図２】図２は実施例１の採光ユニットの早朝時、夕暮れ時及びお昼時（日中）の採光の様子を示す説明図である。
【図３】図３は実施例２の採光ユニットの構成及びフランジ部相互の接続を示す説明図である。
【図４】図４はフランジ付き第一導光体の構成を示す側面図及び平面図である。
【図５】図５はフランジ付き第二導光体の構成を示す側面図である。
【図６】図６はフランジ付き第一導光体とフランジ付き第二導光体を組み合わせた使用状態を示す側面図である。
【図７】図７は実施例３の採光ユニットの構成及び作動を示す説明図である。
【図８】図８は実施例３の採光ユニットの第１の変形例の構成を示す説明図である。
【図９】図９は実施例３の採光ユニットの第２の変形例の構成を示す説明図である。
【発明を実施するための形態】
【００３１】
本願発明の採光ユニットを事務所、工場又は住宅等に設置して、建物内部の任意空間における照明設備として実施する。
【実施例１】
【００３２】
まずは、実施例1の採光ユニットの構成について、図１及び図２に従い説明する。
【００３３】
採光ユニット（１）は、屋根面の上方に突出させて設置する採光用突出体（１０）と、前記採光用突出体から取り込んだ光を建物内部の任意空間に放出する照射機構（２０）と、前記採光用突出体と前記照射機構との間で光の減衰を抑制しつつ接続する導光機構（３０）と、当該採光ユニット内部の温度上昇を抑制するために設ける換気機構（４０）とで構成する（図１）。
【００３４】
前記採光用突出体（１０）は、天面に配置され、設置台座に対して４５度の角度をつけて傾斜設置する平面で矩形形状の天面採光ガラス（１１）と、前記天面採光ガラスの周辺を囲むとともに支持をする突出体の側面（１２）と、前記突出体の側面の一部を切断して設ける側面採光ガラス（１３）とで構成する（図１）。
【００３５】
前記天面採光ガラス（１１）の傾き角度について、設置台座に対して４５度の角度で傾斜設置しているが、建物内部の任意空間の明るさを一定以上に保つことができる範囲内であれば任意に変更可能である（図１）。設置環境や要求される明るさ等により異なるが、３０度から６０度程度の範囲内であれば建物内部の任意空間の明るさを一定以上に保つことが可能であると想定する。
【００３６】
前記天面採光ガラス（１１）の形状について、ガラスの加工コストを考慮して矩形形状としているが、必要に応じて円形等に変更することも許容し得る。
【００３７】
また、前記天面採光ガラス（１１）の大きさについて、より大きい方がより多くの太陽光を取り込むことができるが、少なくとも前記導光機構（３０）の直径よりも大きい方が好ましい。
【００３８】
前記側面採光ガラス（１３）は、前記天面採光ガラス（１１）では取り込むことが困難又は少量しか取り込めない早朝時あるいは夕暮れ時の低高度の太陽光を主に取り込むために設けるものであるため、早朝時の太陽が存在する方位である東方位及び夕暮れ時の太陽が存在する方位である西方位からの直達日射の多くを取り込むことができる、前記採光用突出体（１０）を設置した際に、前記採光用突出体の東方位及び西方位となる側面（１２）位置に備えることを要する（図１及び図２）。
【００３９】
本実施例では、前記採光用突出体（１０）の両側面の一定領域に、五角形形状の窓様の側面採光ガラス（１３）を設けているが、建物内部の任意空間の明るさを一定以上に保つことができる範囲内であれば、他の態様へも設計変更し得るものとする。例えば、両側面の全面領域や全ての側面、あるいは全周面等に側面採光部を設ける態様も許容し得るものとする（図１及び図２）。
【００４０】
前記側面採光ガラス（１３）について、平面で網入りの透明なガラスを採用しているが、建物内部の任意空間の明るさを一定以上に保つことができる範囲内であれば、他のガラスに設計変更し得るものとする。また、ガラス以外の材質に設計変更することも許容し得るものとする。
【００４１】
前記側面採光ガラス（１３）の厚さ（Ｔ１）について、網入り防火ガラスとしては一般的な６．８ミリメートルのガラスを採用している（図２）。
【００４２】
前記側面採光ガラス（１３）の外表面（建物外側の面）には、光の反射を抑制する低反射加工を、低反射コーティングを塗布することにより施しているが、同様の作用効果が生じるのであれば、内裏面（建物内側の面）に低反射コーティングを塗布することにより施しても良いものとする。
【００４３】
前記側面採光ガラス（１３）の内裏面には、一方向からの光は透過するが他方向からの光は反射又は遮断する作用を生じさせる光反射加工を、光反射コーティングを塗布することにより施しているが、同様の作用効果が生じるのであれば、外表面に光反射コーティングを塗布することにより施しても良いものとする。
【００４４】
また、前記低反射コーティングの塗布及び光反射コーティングの塗布にかえて、前記低反射加工及び前記光反射加工と同様の作用効果を生じさせるシート状素材・材料（一方向からは光を透過し他方向からは光を反射又は遮断する素材・材料）を、前記側面採光ガラスの一方側の面へ貼り付けることにより、低反射加工及び光反射加工を施すことも許容し得るものとする。
【００４５】
前記照射機構（２０）について、建物内部の任意空間の明るさを一定以上に保つために、前記導光機構の下方で光が焦点化することを抑制し均質な光を照射する機能を備えていることが好ましく、さらに好ましくは、天井面カバーへ到達する反射光の位置又は量を調節する照度調整機構を備えた照射機構とすることである。
【００４６】
前記導光機構（３０）は、内周面を鏡面加工した継ぎ目のない円筒形状の円筒導光体（３２）であって、先端部（３１）が前記天面採光部（１１）の傾きと同じである設置台座に対して４５度の傾斜平面で切断した傾斜開口部（３１）となっている（図１）。
【００４７】
前記円筒導光体の先端部（３１）の傾斜角度について、より多くの太陽光を取り込むために前記天面採光ガラス（１１）と同じ、設置台座に対して４５度の角度としているが、建物内部の任意空間の明るさを一定以上に保つことができる範囲内であれば、少々の角度差が生じていても許容し得るものとする。
【００４８】
前記円筒導光体（３２）は、内周面を鏡面加工した継ぎ目のない円筒であるが、可撓性板材の一方に鏡面加工を施し両端部を隙間なく接合することにより成形した円筒を使用しても良い。
【００４９】
なお、前記円筒導光体（３２）の構成のうち、前記側面採光ガラス（１３）から太陽光を取り込む部分については、当然のことながら光の入射を遮らないように切断等の加工を施している。
【００５０】
前記換気機構（４０）について、前記導光機構の外周に装備し前記導光機構との挟域空間を通じて換気空気が室内（建物内側）から屋上（建物外側）へと排気されることにより、当該採光ユニット内部の温度上昇を抑制する。なお、暴風などによって、屋上から室内に流入しないように逆止ダンパーを装備している（図１）。
【００５１】
次に、早朝時、夕暮れ時及びお昼時の太陽光を採光用突出体から取り込む様子について、右側が真東、手前側が真南、左側が真西として図２に従い説明する。
【００５２】
太陽が東方位に昇りはじめた早朝時、採光用突出体の東方位の側面に設けた側面採光ガラス（１３）から、直達日射（Ｓ１）が入射する（図２）。
【００５３】
東方位の側面に設けた前記側面採光ガラス（１３）に到達した直達日射（Ｓ１）の大部分は、当該側面採光ガラスを透過し前記導光機構に取り込まれる（図２）。当該側面採光ガラスの外表面に低反射コーティングを塗布していることにより、建物外部へ反射放光する直達日射（Ｌ１）を抑制し、光の取り込みを促進している。なお、西方位の側面採光ガラス（１３）の内裏面には光反射コーティングを塗布しているため、前記導光機構に取り込まれた光が外部へ透過すること（Ｌ２）は妨げられる（図２）。
【００５４】
また、太陽が西方位に沈み終える前の夕暮れ時、西方位に設けた側面採光ガラス（１３）から、直達日射（Ｓ２）が入射し、その大部分が当該側面採光ガラスを透過し前記導光機構に取り込まれる（図２）。
【００５５】
ちなみに、太陽が南方位に位置するお昼時は、傾斜設置をした前記天面採光ガラス（１１）の正面から直達日射が入射するため、多くの太陽光が前記導光機構に取り込まれる。
【実施例２】
【００５６】
実施例２は、導光機構の構成が異なる採光ユニットであり、その構成について実施例1と異なる部分についてのみ図３から図６に従い説明する。
【００５７】
導光機構（３０）は、一方の端部のみに１５度の傾斜をつけているフランジ付き円筒第一導光体（３３Ａ）又は両方の端部が１５度づつ傾斜をつけているフランジ付き円筒第二導光体（３３Ｂ）を包含する（図３から図６）。
【００５８】
前記フランジ付き円筒第一導光体（３３Ａ）又は前記フランジ付き円筒第二導光体（３３Ｂ）を区別する必要がないときは、総括してフランジ付き円筒導光体（３３）として、以下の説明を行う。
【００５９】
前記フランジ付き円筒導光体（３３）は、円筒導光体（３２）と任意の箇所で接続して、導光機構（３０）を構成することができるものとする。なお、前記フランジ付き導光体についても、前記円筒導光体と同様に内周面を鏡面加工している。
【００６０】
前記フランジ付き円筒導光体（３３）の内周長さについて、前記円筒導光体（３２）を斜めに切断した際のだ円形切断面のだ円の内周長と同一としている。これは、前記円筒導光体との接続についても配慮したものである。
【００６１】
なお、そもそも曲げが不要な導光機構（前記円筒導光体のみで構成）で足りれば前記フランジ付き円筒導光体（３３）は不要であるが、多くの場合はそうではない。したがって、直線的な円筒導光体（３２）を斜めに切断して、切断面同士を接続することが行われているが、斜めに切断した円筒導光体の切断面は、だ円形であるため、光を漏らさず、かつ、任意の方向に接続する作業は面倒かつ困難であった。
【００６２】
当該フランジ付き円筒導光体を包含させて導光機構を構成することにより、円筒（円形）フランジ同士の接続となるため、３６０度いかなるの方向に対してでも自由に接続をすることができるようになり、導光機構の施工が極めて容易となる。また、いかなる方向に接続をしたとしても光の漏れを防止でき、導光機構内での光の減衰を抑制できるため、室内の明るさを一定以上に保つために利用することができる。
【実施例３】
【００６３】
実施例３の採光ユニットは、方位９０度から１１５度又は方位２４５度から２７０度で、かつ、太陽高度が１５度未満（特に０度付近の場合が顕著）の条件下で優れた性能を発揮する、側面採光ガラスに低反射加工又は光反射加工を施さない場合の実施例である。その構成について、実施例１と異なる部分のみについて図７から図９に従い説明する。
【００６４】
採光用突出体（１０）は、天面に配置され、設置台座に対して４５度の角度をつけて傾斜設置する平面で矩形形状の天面採光ガラス（図１等を参照）と、前記天面採光ガラスの周辺を囲むとともに支持をする突出体の側面（図１等を参照）と、前記突出体の側面の一部を切断して設ける側面採光ガラス（１３）と、前記側面採光ガラスの上方に設ける側面ひさし体（１４）とで構成する（図７）。
【００６５】
前記側面採光ガラス（１３）は、前記天面採光ガラスでは取り込むことが困難又は少量しか取り込めない早朝時あるいは夕暮れ時の低高度の太陽光を主に取り込むために設けるものであるため、早朝時の太陽が存在する方位９０度から１１５度（東方位）及び夕暮れ時の太陽が存在する方位２４５度から２７０度（西方位）からの直達日射の多くを取り込むことができる、前記採光用突出体（１０）を設置した際に、前記採光用突出体の東方位及び西方位となる側面位置に備えることを要する。
【００６６】
前記側面ひさし体（１４）は、表面を鏡面加工した反射体である。
【００６７】
前記側面ひさし体（１４）は、方位９０度から１１５度又は方位２４５度から２７０度で、かつ、太陽高度が１５度未満（特に０度付近の場合が顕著）の条件下で側面採光ガラス（１３）を透過して多くを導光機構（３０）あるいは照射機構（図１等を参照）に取り込むようにする機構であり、その表面が平面の場合には所定の傾斜角度をつけて設ける。これにより、太陽光取得量が増量するとともに、前記側面ひさし体を反射して取得する太陽光が前記導光機構に対してより鋭角となるため（導光機構内部で反射する回数が減少するため）伝送効率が上昇する（図７）。
【００６８】
また、前記側面採光ガラス（１３）を図８の様に傾斜させて設けることにより、方位９０度から１１５度又は方位２４５度から２７０度で、かつ、太陽高度１５度未満の条件下で反対側の側面採光ガラスを透過して外部に逃げてしまう太陽光を、前記側面採光ガラスの屈折によって減少させることができる（図８）。
【００６９】
前記側面採光ガラス（１３）の形態（形状及びサイズ）について、南北方向に延びる長辺下端部（１３１）及び前記長辺下端部と平行する短辺上端部（１３２）と、前記長辺下端部（１３１）と前記短辺上端部（１３２）に挟まれた上下方向に延びる長辺側端部（１３３）と、前記長辺側端部（１３３）と平行する短辺側端部（１３４）と、前記短辺上端部（１３２）と前記短辺側端部（１３４）に挟まれた傾斜端部（１３５）と、に囲まれた五角形形状であるが、前記長辺下端部（１３１）のうち中心から北方向に延びる部分の長さ（Ｗ１）が５０ミリメートルから８０ミリメートルであることが好ましい（図９）。
【００７０】
前記側面採光ガラス（１３）の好ましい形態は、方位９０度から１１５度又は方位２４５度から２７０度における太陽高度の大半は１０度未満であることを踏まえたうえで、反対側の側面採光部を透過し外部に逃げてしまう太陽光を減少させつつも、南中に太陽が存在する条件下では、側面採光ガラスからも太陽光を取得することができるように配慮した形態である。
【００７１】
次に、方位９０度から１１５度又は方位２４５度から２７０度で、かつ、太陽高度が１５度未満（特に０度付近の場合が顕著）の条件下で、太陽光を側面採光ガラスから取り込む様子について、図７に従い、右側が方位９０度（真東）、左側が方位２７０度（真西）として説明する。
【００７２】
太陽が方位９０度で太陽高度が０度付近の時、採光用突出体（１０）の方位９０度の側面に設けた側面採光ガラス（１３）へ直接到達した直達日射（Ｓ１）の大半は方位２７０度に設けた側面採光ガラス（１３）を透過して外部に逃げてしまう（図７）。
【００７３】
しかしながら、前記側面ひさし体（１４）へ到達した直達日射（Ｓ１）は、反射して導光機構（３０）に対して鋭角で取り込まれる（図７）。
【００７４】
また、太陽が方位２７０度で太陽高度が０度付近の時、採光用突出体（１０）の方位２７０度の側面に設けた側面採光ガラス（１３）へ直接到達した直達日射（Ｓ２）の大半は方位９０度に設けた側面採光ガラス（１３）を透過して外部に逃げてしまう（図７）。
【００７５】
しかしながら、前記側面ひさし体（１４）へ到達した直達日射（Ｓ２）は、反射して導光機構（３０）に対して鋭角で取り込まれる（図７）。
【産業上の利用可能性】
【００７６】
本願発明の採光ユニットは、早朝時あるいは夕暮れ時も室内の明るさを一定以上に保つことが可能な優れた採光ユニットであるので、産業上の利用可能性を有する。
【符号の説明】
【００７７】
１          採光ユニット
１０        採光用突出体
１１        天面採光ガラス（天面採光部）
１２        採光用突出体の側面
１３        側面採光ガラス（側面採光部）
１３１      長辺下端部
１３２      短辺上端部
１３３      長辺側端部
１３４      短辺側端部
１３５      傾斜端部
１４        側面ひさし体
２０        照射機構
３０        導光機構
３１        円筒導光体の先端部（導光機構の先端部）
３２        円筒導光体
３３        フランジ付き円筒導光体
３３Ａ      フランジ付き円筒第一導光体
３３Ｂ      フランジ付き円筒第二導光体
４０        換気機構
Ｌ１        側面採光ガラスの外表面に反射して取り込めない光
Ｌ２        側面採光ガラスの内裏面を透過して導光機構の外部へ漏れる可能性のある光
Ｓ１        早朝時（東方位、低高度）の直達日射
Ｓ２        夕暮れ時（西方位、低高度）の直達日射
Ｔ１        側面採光ガラスの厚み
Ｗ１        側面採光ガラスの南北方向の長辺下端部のうち中心から北方向に延びる部分の長さ
【図１】
2016027556.tif 000003
【図２】
2016027556.tif 000004
【図３】
2016027556.tif 000005
【図４】
2016027556.tif 000006
【図５】
2016027556.tif 000007
【図６】
2016027556.tif 000008
【図７】
2016027556.tif 000009
【図８】
2016027556.tif 000010
【図９】
2016027556.tif 000011